(57)【特許請求の範囲】
【請求項１】
レンジ上方に配設され該レンジが設置された部屋内と連通する通気口を有する本体箱と、
この本体箱の下部の中央部に設けられた吸込み口と、
前記吸込み口の周辺部に設けられた吹出し口と、
前記本体箱が配設された部屋の壁面に対応する側に設けられ、前記吹出し口から吹出した空気を案内するガイド面を有するガイド部材と
を備えてなるレンジフードファン。
【請求項２】
ガイド面は、その面がほぼ半円の凹状に形成されていることを特徴とする請求項１記載のレンジフードファン。
【請求項３】
レンジ上方に配設される本体箱と、
この本体箱内部の下部に設けられ、下部の中央部に吸込み口を有すると共に下部の周辺部にほぼ環状の吹出し口を有する下ファン室と、
この下ファン室の上部に設けられ下部にこのファン室と連通する吸入口を有し他の部位に吐出口を有する渦巻き形の上ファン室と、
この上ファン室内部に位置する上羽根部および前記下ファン室内部に位置する下羽根部を有しこれら上羽根部および下羽根部が一体回転する羽根体と、
静止部位に取付けられ前記羽根体を回転させるモータと
を備えてなるレンジフードファン。
【請求項４】
本体箱には通気口が設けられ、
上ファン室を構成する部材と下ファン室を構成する部材との間には前記通気口と連通する隙間が存在し、
下ファン室の上部にはこの隙間と上ファン室の吸入口に連通する開口部が形成され、
羽根体の下羽根部は、この開口部よりも外周部に位置するようになっていることを特徴とする請求項３記載のレンジフードファン。
【請求項５】
レンジ上方に配設され通気口を有する本体箱と、
この本体箱内部の下部に設けられ、下部の中央部に吸込み口を有すると共に下部の周辺部にほぼ環状の吹出し口を有し、上部の中央部に前記通気口に通じる開口部を有する下ファン室と、
この下ファン室の上部にこれと離間して設けられ下部に吸入口を有し他の部位に吐出口を有する渦巻き形の上ファン室と、
前記下ファン室の開口部を貫通して前記下ファン室の吸込み口と前記上ファン室の吸入口とを連通する連通路を形成すると共に、該連通路と開口部とを仕切る連通部材と、
この上ファン室内部に位置する上羽根部および前記下ファン室内部に位置する下羽根部を有しこれら上羽根部および下羽根部が一体回転する羽根体と、
静止部位に取付けられ前記羽根体を回転させるモータと
を備えてなるレンジフードファン。
【請求項６】
通気口は、本体箱が配設される部屋内と連通することを特徴とする請求項４または５記載のレンジフードファン。
【請求項７】
上羽根部はシロッコファンから構成され、下羽根部はターボファンから構成されていることを特徴とする請求項３または５記載のレンジフードファン。
【請求項８】
レンジ上方に配設され該レンジが設置された部屋内と連通する通気口を有する本体箱と、
この本体箱内部の下部に設けられ、下部の中央部に吸込み口を有すると共に下部の周辺部にほぼ環状の吹出し口を有し、上部の中央部に前記通気口に通じる開口部を有する下ファン室と、
この下ファン室の上部にこれと離間して設けられ下部に吸入口を有し他の部位に吐出口を有する渦巻き形の上ファン室と、
前記下ファン室の開口部を貫通して前記下ファン室の吸込み口と前記上ファン室の吸入口とを連通する連通路を形成すると共に、該連通路と開口部とを仕切る連通部材と、
この上ファン室内部に位置するシロッコファンを有すると共に、このシロッコファンの下端部から下方へ延び下ファン室の開口部を貫通して下ファン室の吸込み口と前記上ファン室の吸入口とを連通する連通路を形成し且つ該連通路と開口部とを仕切る連通部材を有し、さらにこの連通部材の下端部に結合されて下ファン室内部に位置するターボファンを有する羽根体と、
前記本体箱の内部であって且つ上ファン室および下ファン室の外部における静止部位に取付けられ前記羽根体を回転させるモータと
を備えてなるレンジフードファン。
【発明の詳細な説明】
【０００１】
【発明の属する技術分野】
本発明は、レンジ上方部に配設されて、レンジ部分から立ち上ぼる油煙等を含んだ空気を排出するレンジフードファンに関する。
【０００２】
【発明が解決しようとする課題】
従来、レンジフードファンとしては、特開平１−３０６７５３号公報に示される構成のものがある。このものは、図２０に示すように、外箱１の内部をファン室２としており、このファン室２の下部の中央部には吸込み口３が形成されていると共に周辺部に吹出し口４が形成され、また上部には図示しない排気ダクトを介して外部に通じる吐出口５が形成されている。
そして、ファン室２の内部には遠心形のファン６が設けられていて、このファン６は、外箱１の上板部外面に取付けられたモータ７により回転駆動されるようになっている。このレンジフードファンは、図示しないレンジの上方部に配設されるものである。
【０００３】
このものでは、上記ファン６が回転駆動されることによって、レンジに載せられた調理鍋等からの油煙やレンジからの燃焼ガスを含んだ空気が、吸込み口３からファン室２内に吸入され、一部は吹出し口４から下方へ吹き出され、残りは吐出口５から排気ダクトを通して外部へ排出される。
【０００４】
この従来のものでは、吹出し口４から吹き出される空気がいわゆるエアカーテン状になることを期待しており、このエアーテン状に流れる空気により、レンジ部分で発生する油煙等の空気を他の部位へ逃がさないように捕集することが期待されている。
【０００５】
しかしながら、上記従来構成では、例えば、吐出口側の送風抵抗が変化した場合（排気ダクトの送風抵抗が変化した場合あるいは屋外側のシャッタの開き方が悪いような場合）には、屋外への排出風量が減り、逆に吹出し口４からの空気吹き出し量が増加する。このため、エアカーテンを形成する空気流が強くなり過ぎ、レンジ部分に強く当たってこの部分で内外に拡散するようになり、油煙等の空気の捕集効果が逆に低下する。反対に、吐出口側の送風抵抗が軽減された場合には、吹出し口４からの空気吹き出し量が低下し、エアカーテンがうまく形成されず、この場合も油煙等の空気の捕集効果が低下する。つまり、送風負荷が変動すると、油煙等の空気の捕集効率が悪くなる欠点があった。
【０００６】
なお、上記従来例のものとは別の構成が特開平５−１５７３０６号公報に示されている。この構成の概略を、図２１に示しており、このものでは、ファン装置１１から吐出された空気が、吹出し口１２からエアカーテン状に吐出され、別のファン装置１３により油煙等の空気が吸入・排気されるようになっている。
しかし、この構成においては、エアカーテンを形成するところのファン装置１１のノズル部１１ａから吐出された空気が、その後向きを変更して吹出し口１２のほぼ全域から吹き出されるため、送風効率が悪く、ファン装置１１用のモータ１４の大形化やコスト高を来し、しかも吹出し口１２からの空気吹き出し量が不均一である。さらに、吹き出し空気の流れがダクト１５によって阻害されるため、これによっても、吹出し口１２からの空気の吹き出し量が不均一となって均一層のエアカーテンが形成しにくい欠点がある。
【０００７】
本発明は上述の事情に鑑みてなされたものであり、その目的は、送風負荷の変動にさほど左右されることなく良好なエアカーテンを形成することが可能で、油煙等の空気の捕集効果が向上し、しかも送風効率が良くてモータの能力アップをさほど必要とせずにコストの低廉化に寄与できるレンジフードファンを提供するにある。
【０００８】
【課題を解決するための手段】
請求項１の発明は、レンジ上方に配設され該レンジが設置された部屋内と連通する通気口を有する本体箱と、
この本体箱の下部の中央部に設けられた吸込み口と、
前記吸込み口の周辺部に設けられた吹出し口と、
前記本体箱が配設された部屋の壁面に対応する側に設けられ、前記吹出し口から吹出した空気を案内するガイド面を有するガイド部材と
を備えて構成される。
この請求項１の発明によれば、吹出し口の縁部のうち本体箱が配設された部屋の壁面に対応する側に、吹出し口に連続するようなガイド面を有するガイド部材を設けたから、吹出し口から吹出される空気が、壁面部分で乱流となることを防止できると共に吹その空気を整流することができ、小風量で良好なエアカーテンを形成することができる。
請求項３の発明は、
レンジ上方に配設される本体箱と、
この本体箱内部の下部に設けられ、下部の中央部に吸込み口を有すると共に下部の周辺部にほぼ環状の吹出し口を有する下ファン室と、
この下ファン室の上部に設けられ下部にこのファン室と連通する吸入口を有し他の部位に吐出口を有する渦巻き形の上ファン室と、
この上ファン室内部に位置する上羽根部および前記下ファン室内部に位置する下羽根部を有しこれら上羽根部および下羽根部が一体回転する羽根体と、
静止部位に取付けられ前記羽根体を回転させるモータと
を備えて構成される。
【０００９】
この構成においては、モータが回転駆動されると、下ファン室において下羽根部が回転し、上ファン室において上羽根部が回転する。下羽根部の回転により油煙等を含んだ空気が中央部の吸込み口から吸引され、その一部が周辺部の吹出し口から吹き出され、この吹き出された空気流によりいわゆるエアカーテンが形成される。また、上羽根部の回転により吸入空気の残りが吐出口から外部へ排出される。この場合、下羽根部および下ファン室により定まる送風能力により、エアカーテン形成のための空気流が発生し、上羽根部および上ファン室により定まる送風能力により排気のための空気流が発生するから、例えば排気側の送風抵抗が変動することがあっても、吹出し口から吹き出される空気量にさほど変動がみられず、安定したエアカーテン形成作用を得ることができる。しかも排気される空気は上ファン室の吐出口から出るから、下ファン室には排気用ダクト等の障害物は存在せず送風効率が良い。しかも、下ファン室において、中央部の吸込み口から吸入した空気をそのまま周辺部の吹出し口から吹き出すから、渦巻き形のケーシングをファン室内にして風向変換するものとは違って送風効率の低下が少なく、モータの小形化やコストの低廉化に寄与できる。また吹出し口からの空気の吹き出し量が均一となる。さらに、上ファン室は渦巻き形としているので、排気のための送風能力は十分に確保できるものである。
【００１０】
請求項５の発明は、
レンジ上方に配設され通気口を有する本体箱と、
この本体箱内部の下部に設けられ、下部の中央部に吸込み口を有すると共に下部の周辺部にほぼ環状の吹出し口を有し、上部の中央部に前記通気口に通じる開口部を有する下ファン室と、
この下ファン室の上部にこれと離間して設けられ下部に吸入口を有し他の部位に吐出口を有する渦巻き形の上ファン室と、
前記下ファン室の開口部を貫通して前記下ファン室の吸込み口と前記上ファン室の吸入口とを連通する連通路を形成すると共に、該連通路と開口部とを仕切る連通部材と、
この上ファン室内部に位置する上羽根部および前記下ファン室内部に位置する下羽根部を有しこれら上羽根部および下羽根部が一体回転する羽根体と、
静止部位に取付けられ前記羽根体を回転させるモータと
を備えて構成される。
【００１１】
この構成においては、モータが回転駆動されると、下ファン室において下羽根部が回転し、上ファン室において上羽根部が回転する。上羽根部の回転により油煙等を含んだ空気が中央部の吸込み口から連通路を通して吸引され、吐出口から外部へ排出される。また下羽根部の回転により、本体箱外の空気が通気口から吸入され、そして開口部を通して下ファン室に吸入されて吹出し口から吹き出され、この吹き出された空気流によりいわゆるエアカーテンが形成される。この場合、下羽根部および下ファン室により定まる送風能力により、エアカーテン形成のための空気流が発生し、上羽根部および上ファン室により定まる送風能力により排気のための空気流が発生するから、例えば排気側の送風抵抗が変動することがあっても、吹出し口から吹き出される空気量にさほど変動がみられず、安定したエアカーテン形成作用を得ることができる。
【００１２】
しかも排気される空気は上ファン室の吐出口から出るから、下ファン室には排気用ダクト等の障害物は存在せず送風効率が良い。しかも、下ファン室において、中央部の吸込み口から吸入した空気をそのまま周辺部の吹出し口から吹き出すから、渦巻き形のケーシングをファン室内に配設して風向変換するものとは違って送風効率の低下が少なく、モータの小形化やコストの低廉化に寄与できる。また吹出し口からの空気の吹き出し量が均一となる。さらに、上ファン室は渦巻き形としているので、排気のための送風能力は十分に確保できるものである。
【００１３】
特に、排気すべき空気を吸込み口から吸い込み、エアカーテン形成のための空気を吸込み口とは別の通気口から取り入れるようにしたから、独立した風量確保が一層容易となり、さらに安定したエアカーテン形成作用を得ることができるようになる。また、エアカーテンを形成する空気に油煙が含まれないので、使用者に油煙が接することを防止できるようになる。
【００１５】
また、請求項６の発明のように通気口を部屋内と連通させる構成とすれば、レンジ部分以外の部屋内の空気をエアカーテンに利用できる。この場合エアカーテンの一部はレンジ部分の空気と共に上方へ立ち上ぼって排出されることから、レンジ部分以外の部屋内の空気も徐々に排出されることになり、もって部屋全体の換気を良好に図ることができるようになる。
【００１６】
さらに請求項８の発明は、
レンジ上方に配設され該レンジが設置された部屋内と連通する通気口を有する本体箱と、
この本体箱内部の下部に設けられ、下部の中央部に吸込み口を有すると共に下部の周辺部にほぼ環状の吹出し口を有し、上部の中央部に前記通気口に通じる開口部を有する下ファン室と、
この下ファン室の上部にこれと離間して設けられ下部に吸入口を有し他の部位に吐出口を有する渦巻き形の上ファン室と、
前記下ファン室の開口部を貫通して前記下ファン室の吸込み口と前記上ファン室の吸入口とを連通する連通路を形成すると共に、該連通路と開口部とを仕切る連通部材と、
この上ファン室内部に位置するシロッコファンを有すると共に、このシロッコファンの下端部から下方へ延び下ファン室の開口部を貫通して下ファン室の吸込み口と前記上ファン室の吸入口とを連通する連通路を形成し且つ該連通路と開口部とを仕切る連通部材を有し、さらにこの連通部材の下端部に結合されて下ファン室内部に位置するターボファンを有する羽根体と、
前記本体箱の内部であって且つ上ファン室および下ファン室の外部における静止部位に取付けられ前記羽根体を回転させるモータと
を備えて構成される。
【００１７】
この構成においては、モータが回転駆動されると、下ファン室において下羽根部が回転し、上ファン室において上羽根部が回転する。上羽根部の回転により油煙等を含んだ空気が中央部の吸込み口から連通路を通して吸引され、吐出口から外部へ排出される。また下羽根部の回転により、部屋におけるレンジ部以外の空気が通気口から吸入され、そして開口部を通して下ファン室に吸入されて吹出し口から吹き出され、この吹き出された空気流によりいわゆるエアカーテンが形成される。この場合、下羽根部および下ファン室により定まる送風能力により、エアカーテン形成のための空気流が発生し、上羽根部および上ファン室により定まる送風能力により排気のための空気流が発生するから、例えば排気側の送風抵抗が変動することがあっても、吹出し口から吹き出される空気量にさほど変動がみられず、安定したエアカーテン形成作用を得ることができる。
【００１８】
しかも排気される空気は上ファン室の吐出口から出るから、下ファン室には排気用ダクト等の障害物は存在せず送風効率が良い。しかも、下ファン室において、中央部の吸込み口から吸入した空気をそのまま周辺部の吹出し口から吹き出すから、渦巻き形のケーシングをファン室内に配設して風向変換するものとは違って送風効率の低下が少なく、モータの小形化やコストの低廉化に寄与できる。特に、下羽根部をターボファンから構成しているから、下ファン室の形状にさほど制約がなく吹出し口の全周域から空気を均一に吹出すことができるようになる。さらに、上ファン室は渦巻き形とし、上羽根部をシロッコファンから構成しているので、静圧が高くて、排気のための送風能力を十分に確保できる。
【００１９】
特に、排気すべき空気を吸込み口から吸い込み、エアカーテン形成のための空気を通気口から取り入れるようにしたから、独立した風量確保が容易となり、さらに安定したエアカーテン形成作用を得ることができる。そして、通気口を部屋内と連通させる構成としているので、レンジ部分以外の部屋内の空気をエアカーテンに利用できる。この場合エアカーテンの一部はレンジ部分の空気と共に上方へ立ち上ぼって排出されることから、レンジ部分以外の部屋内の空気も徐々に排出されることになり、もって部屋全体の換気を良好に図ることができるようになる。
【００２０】
さらには、モータを、本体箱の内部であって且つ上ファン室および下ファン室の外部における静止部位に取付けているから、通気口から本体箱内に吸入されて開口部へ向かう空気流によりこのモータを冷却することが可能となる。
【００２１】
【発明の実施の形態】
以下、本発明の第１の実施例につき図１ないし図４を参照しながら説明する。レンジフードファン２１の本体箱２２は、厨房等の部屋２３の壁面２３ａに、レンジ２４上方部に位置して配設されている。この本体箱２２の下面には、下面板２５が取付けられていると共に、この下面板２５に、周壁部２６ａが水平断面円形状をなすケーシング部材２６が取付けられており、これら下面板２５およびケーシング部材２６により下ファン室２７が形成されている。そして、この下ファン室２７の下部に相当する前記下面板２５には、中央部にベルマウス形状の吸込み口２８が形成されていると共に、周面部にほぼ環状（この場合ほぼ円環状）でスリット状の吹出し口２９が形成されている。この場合、吹出し口２９の外側周縁部であるケーシング部材２６の周壁部２６ａは縦断面形状が垂直状をなしている。
【００２２】
なお、上述のレンジ２４は二つの加熱口２４ａ，２４ａを並設した構成であり、前記吹出し口２９は、レンジ２４の加熱口２４ａ，２４ａを囲い得る形状（この場合上述したほぼ円環状）である。
上記ケーシング２６の上板部２６ｂには渦巻き形をなすケーシング部材３０が取付けられており、このケーシング部材３０と上板部２６ｂとにより、渦巻き形の上ファン室３１が形成されている。この上ファン室３１の下部である上板部２６ｂには、下ファン室２７と連通する吸入口３２が形成されており、また他の部位である図１中右部には上向きの吐出口３３が形成されている。この吐出口３３は、本体箱２２の上板部２２ａに形成された孔部２２ｂから上方へ突出しており、この吐出口３３は図示しないダクトを介してこの部屋２３の外部（屋外）に連通している。
【００２３】
また、羽根体３４は、円形状の端板３５の周辺部に多数の上羽根部３６を垂直状に取着すると共に、この上羽根部３６の下端部にドーナツ板状の連結板３７を介して多数の下羽根部３８を垂直状に取着して構成されている。各羽根部３６，３８は、図４に示すように、羽根体３４の回転方向（矢印Ｆで示す）に対して前向きとなるいわゆるシロッコファンから構成されている。このような羽根体３４は、次に述べるモータ３９の回転軸３９ａに取着されていて、上羽根部３６は上ファン室３１内に位置し、下羽根部３８は下ファン室２７に位置するようになっている。上羽根部３６の軸方向の長さが下羽根部３８の軸方向の長さよりも長くなるように形成されている。
【００２４】
モータ３９は、例えば誘導モータから構成されており、本体箱２２の内部であってケーシング部材３０の上板部３０ａの外面に取付けられており、その回転軸３９ａは該上板部３０ａを貫通して上ファン室３１内に垂下状に突出しており、この突出端部に前記羽根体３４の端板３５が一体回転し得るように取着されている。
一方、本体箱２２の下面には、前記吸込み口２８および吹出し口２９を覆うようにフィルタ４０が取付けられている。
【００２５】
また、図３に示すように本体箱２２の前板部２２ｃの外面には、操作パネル部４１が設けられており、それぞれ運転開始スイッチを兼用すると共に運転強度を切換えるための「強」スイッチ４２ａ、「中」スイッチ４２ｂ、「弱」スイッチ４２ｃが設けられ、また運転停止スイッチ４３が設けられている。
さらに、本体箱２２において右板部２２ｄには、切換え手段としての強化用の切換えスイッチ４４ａ、弱化用の切換えスイッチ４４ｂが設けられている。
【００２６】
しかして、モータ３９はその電源（商用交流電源）を位相制御することで、回転速度が「高」、「中」、「低」に切換えられるようになっており、例えば、上記「強」スイッチ４２ａの操作により「高」回転速度で、「中」スイッチ４２ｂの操作により「中」回転速度で、「弱」スイッチ４２ｃの操作により「低」回転速度で回転されるものである。この場合、強化用の切換えスイッチ４４ａおよび弱化用の切換えスイッチ４４ｂは、レンジ２４からの吹出し口２９までの高さを考慮して、送風能力を調整すべく操作されるものである。
【００２７】
すなわち、レンジ２４からの吹出し口２９までの高さが比較的高い場合には、レンジ２４部分まで適度に届くエアカーテンを形成のためには送風能力が高いことが好ましく、逆にレンジ２４からの吹出し口２９までの高さが比較的低い場合には、レンジ２４部分まで適度に届くエアカーテンを形成のためには送風能力が低いことが好ましいものであり、レンジフードファン２１の据え付け工事に際し、上述の取付け高さが比較的高い場合には強化用の切換えスイッチ４４ａを操作し、上述の取付け高さが比較的低い場合には弱化用の切換えスイッチ４４ｂを操作するものである。強化用の切換えスイッチ４４ａがオン操作されると、前述した、回転速度「高」、「中」、「低」をそれぞれ若干量レベルアップするように位相制御し、また、弱化用の切換えスイッチ４４ｂがオン操作されると、前述した、回転速度「高」、「中」、「低」をそれぞれ若干量レベルダウンするように位相制御し、送風能力を調整するようになっている。
【００２８】
なお、これら強化用の切換えスイッチ４４ａおよび弱化用の切換えスイッチ４４ｂは、通常は使用されることがないように、比較的操作し難い本体箱２２の右板部２２ｄに設けているのである。なお、この送風能力の調整は、位相制御でなく、モータのタップ切換えや、インバータ制御等でも良い。
【００２９】
上記構成の本実施例においては、モータ３９が回転駆動されると、下ファン室２７において下羽根部３８が回転し、上ファン室３１において上羽根部３６が回転する。下羽根部３８の回転により油煙等を含んだ空気が矢印Ａで示すようにフィルタ４０を通って中央部の吸込み口２８から吸引され、その一部が周辺部の吹出し口２９からフィルタ４０を通って吹き出される（矢印Ｂ参照）。この場合、その外側周縁部である周壁部２６ａが垂直状をなすことによってほぼ垂直状に吹出されるものである。この吹き出された空気流によりいわゆるエアカーテンが形成される。この場合、その空気流に旋回成分があることから、このエアカーテンは、いわゆる渦巻き流になることが多い。また、上羽根部３６の回転により吸入空気の残りが吐出口３３から外部へ排出される。
【００３０】
このような本実施例によれば、下羽根部３８および下ファン室２７により定まる送風能力により、エアカーテン形成のための空気流が発生し、上羽根部３６および上ファン室３１により定まる送風能力により排気のための空気流が発生するから、例えば排気側の送風抵抗が変動することがあっても、吹出し口２９から吹き出される空気量にさほど変動がみられず、安定したエアカーテン形成作用を得ることができる。しかも排気される空気は上ファン室３１の吐出口３３から出るから、下ファン室２７には排気用ダクト等の障害物は存在せず送風効率が良い。しかも、下ファン室２７において、中央部の吸込み口２８から吸入した空気をそのまま周辺部の吹出し口２９から吹き出すから、渦巻き形のケーシングをファン室内に配設して風向変換するものとは違って送風効率の低下が少なく、この結果、モータ３９の小形化やコストの低廉化に寄与できる。また吹出し口２９からの空気の吹き出し量が均一となる。さらに、上ファン室３１は渦巻き形としているので、排気のための送風能力も十分に確保できるものである。
【００３１】
また、吸込み口２８から吸引されてそのまま吐出口３３から外部へ吐出される空気は、フィルタ４０を１回通過することになるが、吸込み口２８から吸引されて吹出し口２９から吹出される空気（循環する空気）は、その際再度フィルタ４０を通るから、結局２回フィルタ４０を通過することになり、エアカーテンに供される空気の清浄化が有効に図られる。しかも、エアカーテンに寄与した空気の一部はレンジ２４から立ち上ぼる油煙等と共に再度（結局３回）フィルタ４０を通過して吸込み口２８から吸引されて一部は排気されることになり、この排気空気の清浄化効率も極めて高い。つまり、循環する空気の清浄化効率が極めて高いことから、排出される空気のすべてがフィルタを１回しか通らない場合に比して排出空気の清浄化効率も向上する。
【００３２】
さらに、本実施例によれば、レンジ部分から吹出し口までの高さを考慮して切換え操作されその操作に応じて送風能力を調整する強化用の切換えスイッチ４４ａおよび弱化用の切換えスイッチ４４ｂを設けたから、レンジ２４部分まで適度に届くエアカーテンが形成される。すなわち、レンジ２４からの吹出し口２９までの高さが比較的高い場合には、レンジ２４部分まで適度に届くエアカーテンを形成のためには送風能力が高いことが好ましく、逆にレンジ２４からの吹出し口２９までの高さが比較的低い場合には、レンジ２４部分まで適度に届くエアカーテンを形成のためには送風能力が低いことが好ましいものであるが、本実施例によれば、上述の取付け高さが比較的高い場合に強化用の切換えスイッチ４４ａを操作することで、送風能力を上げることができ、また、上述の取付け高さが比較的低い場合に弱化用の切換えスイッチ４４ｂを操作することで、送風能力を下げることができ、もって、レンジ２４部分まで適度に届くエアカーテンを良好に形成できるものである。ちなみ、レンジ２４からレンジフードファン２１までの高さは通常８０ｃｍ以上確保するようになっているが、一般的には８０ｃｍ〜１００ｃｍぐらいはある。
【００３３】
さらにまた本実施例によれば、吹出し口２９を、レンジ２４における加熱口２４ａ，２４ａの全部を囲う形状に形成したから、レンジ部分を覆うエアカーテンを形成でき、油煙等を含む空気の捕集効率が向上する。なお、レンジが１つの加熱口を有する場合あるいは３つ以上有する場合もあるが、吹出し口は加熱口の全部を囲う形状とすれば良い。
また、本実施例によれば、上羽根部３６の軸方向の長さが下羽根部３８の軸方向の長さよりも長くなるように形成されているから、上羽根部３６の送風能力が大きくて油煙等の空気の排出性に優れている。
【００３４】
図５は本発明の第２の実施例を示しており、この実施例においては、羽根体３４の上羽根部５１ａおよび下羽根部５１ｂを一体部材である羽根板材５１から構成した点が第１の実施例と異なる。この場合、羽根板材５１において上ファン室３１に位置する部分が上羽根部５１ａに相当し、下ファン室２７に位置する部分が下羽根部５１ｂに相当する。このようにしても第１の実施例と同様の効果を奏する。
【００３５】
図６および図７は本発明の第３の実施例を示しており、この実施例では、羽根体６１の構成が第１の実施例と異なる。すなわち、羽根体６１において、上羽根部３６はシロッコファンであるが、下羽根部６２はターボファンから構成されている。この下羽根部６２は羽根体６１の回転方向（矢印Ｆで示す）に対していわゆる後向き傾斜するものである。また、この場合下羽根部６２は上羽根部３６より径大に形成している。この下羽根部６２は上羽根部３６の下端部に連結端板６３を介して連結され、さらにこの下羽根部６２の下端部には別の連結端板６４を取着している。
【００３６】
この実施例によれば、下羽根部６２をターボファンから構成したことにより、いわゆる渦巻き形のケーシングを要さずに送風能力をアップでき、特に、エアカーテンの旋回成分が十分に得られるようになり、油煙を含んだ空気の捕集効率の向上を図ることができる。
【００３７】
図８は本発明の第４の実施例を示しており、この実施例においては、下羽根部６１の下羽根部６２が上羽根部３６とほぼ同径（外径寸法が同じ）に形成されている。この実施例においても第１の実施例に比して送風能力をアップできると共にエアカーテンの旋回成分が十分に得られるようになり、油煙を含んだ空気の捕集効率の向上を図ることができる。
【００３８】
図９は本発明の第５の実施例を示しており、この実施例においては、次の点が第１の実施例と異なる。すなわち、本体箱２２の上板部２２ａには通気口７１が形成されており、これは、図示しないダクトを介して外部に連通されている。また、下ファン室２７の上部であるケーシング２６の上板部２６ｂには、比較的大きな開口部７２が形成されており、上ファン室３１を構成するケーシング７３は、下ファン室２７を構成するケーシング２６と離間して設けられている。ケーシング７３は、吐出口３３を形成した渦巻き形のケーシング７３ａと、吸入口３２を形成した下板７３ｂとから構成されている。このケーシング７３とケーシング２６との隙間７４は、前記開口部７２と連通している。
【００３９】
そして羽根体７５は、円形状の端板３５の周辺部に多数の上羽根部３６を垂直状に取着すると共に、この上羽根部３６の下端部にドーナツ板状の連結板３７を連結し、この連結板３７の下方部に連結棒材７６を介して比較的径大なドーナツ板上の端板７７を取着し、この端板７７上面に例えばターボファンからなる下羽根部７８を取着し、この下羽根部７８の上端部に補助端板７９を取着した構成である。下羽根部７８は、下ファン室２７内において開口部７２よりも外周部に位置するようになっている。
【００４０】
上記構成において、モータ３９が回転駆動されると、下ファン室２７において下羽根部７８が回転し、上ファン室３１において上羽根部３６が回転する。すると、矢印で示すように、油煙等を含んだ空気がフィルタ４０を通って中央部の吸込み口２８から吸引され、その一部がフィルタ４０を通って周辺部の吹出し口２９から吹き出され、また、残りは吐出口３３から、吐出される。また、通気口７１から外部空気が本体箱２２内に吸入され、隙間７４および開口部７２を通して下ファン室２７に吸入されてフィルタ４０を通って吹出し口２７から吹出される。この吹き出された空気流によりいわゆるエアカーテンが形成される。
【００４１】
この第３の実施例によれば、油煙等を含んだ空気の一部と外部空気とがエアカーテン形成に寄与するものであり、第１の実施例と同様の効果を得ることができる。なお、通気口７１は、本体箱２２において、部屋２３内の例えば天井付近の空気を吸入し得る部位に設けるようにしても良い。
【００４２】
図１０は本発明の第６の実施例を示しており、この実施例において、次の点が第１の実施例と異なる。すなわち、本体箱２２の上板部２２ａには通気口８１が形成されており、これは、図示しないダクトを介して外部に連通されている。また、下ファン室２７の上部であるケーシング２６の上板部２６ｂには、比較的大きな開口部８２が形成されている。
【００４３】
上ファン室３１を構成するケーシング８３は、下ファン室２７を構成するケーシング２６と離間して設けられている。ケーシング８３は、吐出口３３を形成した渦巻き形のケーシング８３ａと、吸入口３２を形成した下板８３ｂとから構成されている。このケーシング８３とケーシング２６との隙間８４は、前記開口部８２と連通している。
【００４４】
そして羽根体８５は、円形状の端板３５の周辺部に多数の上羽根部３６を垂直状に取着すると共に、この上羽根部３６の下端部にドーナツ板状の連結板３７を連結し、この連結板３７の下方部に円筒状をなす連通部材８６を介して比較的径大なドーナツ板上の端板８７を取着し、この端板８７上面にターボファンからなる下羽根部８８を取着し、この下羽根部８８の上端部に補助端板８９を取着した構成である。下羽根部８８は、下ファン室２７内において開口部８２よりも外周部に位置するようになっている。
【００４５】
前記連通部材８６は、下ファン室２７の開口部８２を貫通して下ファン室２７の吸込み口２８と上ファン室３１の吸入口３２とを連通する連通路９０を形成すると共に、該連通路９０と開口部３２とを仕切るようになっている。
【００４６】
この構成においては、モータ３９が回転駆動されて下羽根部８８および上羽根部３６が回転すると、まず、上羽根部３６の回転により、矢印で示すように、油煙等を含んだ空気が中央部の吸込み口２８から連通路９０を通して吸引され、吐出口３３から外部へ排出される。また下羽根部８８の回転により、部屋２３外の空気が通気口８１から吸入され、そして開口部８２を通して下ファン室２７に吸入されて吹出し口２９から吹き出され、この吹き出された空気流によりいわゆるエアカーテンが形成される。
【００４７】
この実施例においても、下羽根部８８および下ファン室２７により定まる送風能力により、エアカーテン形成のための空気流が発生し、上羽根部３６および上ファン室３１により定まる送風能力により排気のための空気流が発生するから、例えば排気側の送風抵抗が変動することがあっても、吹出し口２９から吹き出される空気量にさほど変動がみられず、安定したエアカーテン形成作用を得ることができる。しかも排気される空気は上ファン室３１の吐出口３３から出るから、下ファン室２７には排気用ダクト等の障害物は存在せず送風効率が良い。しかも、下ファン室２７において、中央部の吸込み口２８から吸入した空気をそのまま周辺部の吹出し口２９から吹き出すから、渦巻き形のケーシングをファン室内に配設して風向変換するものとは違って送風効率の低下が少なく、モータ３９の小形化やコストの低廉化に寄与できる。また吹出し口２９からの空気の吹き出し量が均一となる。さらに、上ファン室３１は渦巻き形としているので、排気のための送風能力は十分に確保できるものである。
【００４８】
特に、排気すべき空気は吸込み口２８から吸い込み、エアカーテン形成のための空気は通気口８１から取り入れるようにしたから、独立した風量確保が容易となり、さらに安定したエアカーテン形成作用を得ることができる。また、エアカーテンを形成する空気に油煙が含まれないので、使用者に油煙が接することを防止できる。
【００４９】
さらにこの実施例によれば、通気口８１を図示しないダクトを介して部屋２３外部と連通させる構成としているので、部屋２３内に外気を取り入れつつその外気をエアカーテンに利用でき、部屋２３内の空気入れ替え作用および部屋内の負圧解消を図りつつ油煙等の空気の捕集効率の向上を図ることができる。
【００５０】
また、モータ３９が本体箱２２の内部であってしかもファン室２７，３１外に設けられているから、通気口８１から開口部８２に向かう空気流によってモータ３９が冷却されるようになる。
【００５１】
図１１は本発明の第７の実施例を示しており、同図においては、通気口９１を部屋２３内と連通する部位に形成した点が前記第６の実施例と異なる。
この第７の実施例においては、下羽根部８８の回転により、レンジ２４（この図１１には図示せず）部分以外の部屋２３内の空気が、矢印で示すように、通気口９１から本体箱２２内に吸入され、そして、開口部８２を通して下ファン室２７に吸入されて吹出し口２９から吹き出され、この吹き出された空気流によりいわゆるエアカーテンが形成される。この場合、エアカーテンの一部はレンジ２４部分の空気と共に上方へ立ち上ぼって排出されることから、レンジ２４部分以外の部屋２３内の空気も徐々に排出されることになり、もって部屋２３全体の換気を良好に図ることができる。
【００５２】
図１２および図１３は本発明の第８の実施例を示しており、この実施例においては、次の点が、第３の実施例（図６）と異なる。すなわち、第３の実施例においては、下ファン室２７の外側周縁部たる周壁部２６ａが垂直状をなしているが、この第８の実施例では、周壁部２６ａを断面円弧状とし、特に下部側が内側へ傾斜する構成としている。この実施例では、吹出し口２９から吹出される空気流に内向きに指向する成分が多くなり、図１３に示すようにやや内向きのエアカーテンが形成されるようになる。このような構成によれば、レンジ２４が比較的小さいような場合に、このレンジ部分を良好に覆うエアカーテンを形成できる。特に、周壁部２６ａを断面円弧状に形成したから、周壁部２６ａを単に直線的に内向き傾斜させる場合に比して、空気が滑らかに流れ、送風抵抗が低減される。なお、ちなみに一般的にレンジの大きさ（横幅）としては、６０ｃｍ、７５ｃｍおよび９０ｃｍが代表的である（これ以外の寸法のものもある）。
【００５３】
図１４および図１５は本発明の第９の実施例を示しており、この実施例においては、次の点が、第３の実施例（図６）と異なる。すなわち、この第９の実施例では、周壁部２６ａを外側へ断面円弧状に傾斜する構成としている。この実施例では、吹出し口２９から吹出される空気流に外向きに指向する成分が多くなり、図１５に示すようにやや外向きのエアカーテンが形成されるようになる。このような構成によれば、レンジ２４が比較的大きいような場合に好適する。特に、周壁部２６ａを断面円弧状に形成したから、周壁部２６ａを単に直線的に外向き傾斜させる場合に比して、空気が滑らかに流れ、送風抵抗が低減される。
【００５４】
図１６は本発明の第１０の実施例を示しており、この実施例においては、ガイド部材１０１を設けた点が第１の実施例と異なる。すなわち、吹出し口２９の縁部のうち、本体箱２２が配設された部屋２３の壁面２３ａに対応する側に、吹出し口２９に連続するようなガイド面１０１ａを有するガイド部材１０１を設けている。この場合、ガイド面１０１ａは図１６から分かるようにほぼ半円の凹状をなす。
この実施例によれば、吹出し口２９から吹出される空気が、壁面２３と下板部２５とのコーナー部で乱流となることを防止できると共に、吹出し口２９から吹出される空気を整流することができ、小風量で良好なエアカーテンを形成することができる。
【００５５】
図１７は、本体箱２２が壁面２３ａと壁面２３ｂとのコーナー部に設けられた場合を本発明の第１１の実施例として示しており、この場合ガイド部材１０２のガイド面１０２ａは、各壁面２３ａ，２３ｂに対応して形成されている。この実施例においても前記第１０の実施例と同様の効果を得ることができる。
【００５６】
図１８は本発明の第１２の実施例を示しており、この実施例では、吹出し口２９がほぼ楕円形状（この場合横方向に長い楕円形）に形成された点が第１の実施例と異なる。この実施例によれば、レンジ２４が横方向に大きいような場合や加熱口２４ａが並設されている場合に好適する。
【００５７】
図１９は本発明の第１３の実施例を示しており、この実施例では、吹出し口２９の形状が第１の実施例と異なる。すなわち、吹出し口２９は、前部がほぼ直線状をなし後部が円弧状をなすように形成されている。この実施例によれば、レンジ２４の加熱口２４ａが３つある場合に好適する。つまり３口タイプのレンジ２４は、通常、手前側に２つ、そして奥側の中央部に１つの加熱口２４ａが位置する構成であり、吹出し口２９の前部をほぼ直線状とし後部を円弧状とすることにより、このレンジ２４に適したエアカーテンを形成することができる。しかも、このエアカーテンにおいてはその手前側が横に広がっているので、このレンジ２４の前で調理をする使用者を、広い領域でレンジ２４からの直接的な油煙から隔離することが可能となり、使い勝手が非常に良くなる。
【００５８】
【発明の効果】
本発明は以上の説明から明らかなように、次の効果を得ることができる。
請求項１の発明によれば、吹出し口の縁部のうち本体箱が配設された部屋の壁面に対応する側に、吹出し口に連続するようなガイド面を有するガイド部材を設けたから、吹出し口から吹出される空気が、壁面部分で乱流となることを防止できると共に吹その空気を整流することができ、小風量で良好なエアカーテンを形成することができる。
請求項３の発明によれば、排気側の送風抵抗などの送風負荷の変動にさほど左右されることなく良好なエアカーテンを形成することができ、しかも送風効率の向上を図り得て、油煙等の空気の捕集効果の向上を図ることができると共に、モータの能力アップをさほど必要とせずにモータの小形化やコストの低廉化に寄与でき、さらにまた、排気のための送風能力も十分に確保できるものである。
請求項４の発明によれば、吸込み口から吸込んだ油煙等を含んだ空気の一部と通気口から吸入した空気とがエアカーテン形成に寄与するものであり、請求項３の発明と同様の効果を得ることができる。
請求項５の発明によれば、請求項３の発明と同様の効果を得ることができるのに加え、排気すべき空気を吸込み口から吸い込み、エアカーテン形成のための空気を吸込み口とは別の通気口から取り入れるようにしたから、独立した風量確保が一層容易で、さらに安定したエアカーテン形成作用を得ることができ、しかもエアカーテンを形成する空気に油煙が含まれないので、使用者に油煙が接することを防止できる。
請求項６の発明によれば、通気口から吸入された部屋内の空気がエアカーテン形成に寄与され、レンジ部分から立ち上ぼる油煙等の空気のみならずに部屋全体の清浄化に大いに寄与できる。
請求項７の発明によれば、上羽根部がシロッコファンから構成され、下羽根部がターボファンから構成されているから、排気のための送風能力を十分に確保できると共に、エアカーテン形成のための送風能力をアップでき、特に、エアカーテンの旋回成分を得ることができ、油煙を含んだ空気の捕集効率の向上を図ることができる。
請求項８の発明によれば、部屋内の空気によりエアカーテンが形成されるから、部屋全体の換気を良好に図ることができると共に、排気側の送風抵抗などの送風負荷の変動にさほど左右されることなく良好なエアカーテンを形成することができ、モータの能力アップをさほど必要とせずにモータの小形化やコストの低廉化に寄与でき、さらに、上羽根部がシロッコファンから構成され、下羽根部がターボファンから構成されているから、排気のための送風能力を一層良好に確保できると共に、エアカーテン形成のための送風能力をアップでき、特に、エアカーテンの旋回成分を得ることができ、油煙を含んだ空気の捕集効率の向上を図ることができ、また、エアカーテン形成の寄与する空気流によりファンも冷却できるものである。
【図面の簡単な説明】
【図１】本発明の第１の実施例を示す縦断側面図
【図２】レンジフードファンの配設状態を概略的に示す縦断正面図
【図３】下方からみた部分的斜視図
【図４】上羽根部の横断平面図
【図５】本発明の第２の実施例を示す縦断側面図
【図６】本発明の第３の実施例を示す縦断側面図
【図７】羽根体の斜視図
【図８】本発明の第４の実施例を示す縦断側面図
【図９】本発明の第５の実施例を示す縦断側面図
【図１０】本発明の第６の実施例を示す縦断側面図
【図１１】本発明の第７の実施例を示す縦断側面図
【図１２】本発明の第８の実施例を示す縦断側面図
【図１３】レンジフードファンの配設状態を概略的に示す縦断正面図
【図１４】本発明の第９の実施例を示す縦断側面図
【図１５】レンジフードファンの配設状態を概略的に示す縦断正面図
【図１６】本発明の第１０の実施例を示すところの部分的斜視図
【図１７】本発明の第１１の実施例を示すところの部分的斜視図
【図１８】本発明の第１２の実施例を示すところの部分的斜視図
【図１９】本発明の第１３の実施例を示すところの部分的斜視図
【図２０】従来例を示す概略的縦断正面図
【図２１】別の従来例を示す概略的縦断正面図
【符号の説明】
２１はレンジフードファン、２２は本体箱、２３は部屋、２３ａは壁面、２４はレンジ、２４ａは加熱口、２７は下ファン室、２８は吸込み口、２９は吹出し口、３１は上ファン室、３２は吸入口、３３は吐出口、３４は羽根体、３６は上羽根部、３８は下羽根部、３９はモータ、４０はフィルタ、４１は操作パネル、４４ａおよび４４ｂは切換えスイッチ（切換え手段）、５１は羽根板材、５１ａは上羽根部、５１ｂは下羽根部、６１は羽根体、６２は下羽根部、７１は通気口、７２は開口部、７４は隙間、７５は羽根体、７８は下羽根部、８１は通気口、８２は開口部、８４は隙間、８６は連通部材、８８は下羽根部、９０は連通路、９１は通気口、１０１はガイド部材、１０１ａはガイド面、１０２はガイド部材、１０２ａはガイド面を示す。
【図１】
0003720452.tif 000002
【図２】
0003720452.tif 000003
【図３】
0003720452.tif 000004
【図４】
0003720452.tif 000005
【図５】
0003720452.tif 000006
【図６】
0003720452.tif 000007
【図７】
0003720452.tif 000008
【図８】
0003720452.tif 000009
【図９】
0003720452.tif 000010
【図１０】
0003720452.tif 000011
【図１１】
0003720452.tif 000012
【図１２】
0003720452.tif 000013
【図１３】
0003720452.tif 000014
【図１４】
0003720452.tif 000015
【図１５】
0003720452.tif 000016
【図１６】
0003720452.tif 000017
【図１７】
0003720452.tif 000018
【図１８】
0003720452.tif 000019
【図１９】
0003720452.tif 000020
【図２０】
0003720452.tif 000021
【図２１】
0003720452.tif 000022